(57)【要約】【課題】取り扱いが簡易であって、安全性、経済性に優れ、安定した燃焼を得ることができるオイルフロート用プレート、ベースフロート、及び、オイル収容容器を提供する。【解決手段】プレート８に燃焼芯１１が挿着された燃焼芯付プレートと、水６と液体燃料３とベースフロート９とが収容され上部が密封されたオイル収容容器７と、によって、使用者が燃焼芯１１の挿着や、水６及び液体燃料３の計量・注入等の取り扱いを誤ることなく、簡易に、また、安全かつ経済的に、安定した燃焼を維持することができる。【選択図】図２
2008025974.tif 000002
【特許請求の範囲】
【請求項１】
平板中央部に中空の凹条が形成され、前記凹条部分に燃焼芯が挿着されることを特徴とするプレート。
【請求項２】
請求項１記載のプレートの前記凹条部分に燃焼芯が挿着された燃焼芯付プレート。
【請求項３】
前記燃焼芯は、金属体、ガラス繊維体、焼結体であることを特徴とする請求項２記載の燃焼芯付プレート。
【請求項４】
周面部と、第１の凹条と、前記第１の凹条よりも小径の第２の凹条が形成され、前記第２の凹条底面に孔が設けられていることを特徴とするベースフロート。
【請求項５】
前記周面部は、凹凸に形成されていることを特徴とする請求項４記載のベースフロート。
【請求項６】
水と、液体燃料と、請求項４又は５記載のベースフロートと、が収容され、上部が密封されていることを特徴とするオイル収容容器。
【発明の詳細な説明】
【技術分野】
【０００１】
本発明は、液体燃料を燃焼して加熱・保温等を行うために用いるプレート、ベースフロート、及び、オイル収容容器に関する。
【背景技術】
【０００２】
従来より、ろうそくや固形燃料、液体燃料等を用いて炎を発生させる方法は、飲食店等の灯りや装飾として、又は卓上で簡易な調理、加熱を行う方法として、広く利用されている。
【０００３】
これらの燃料については、安定した炎を得る目的や、燃焼時間を長くする目的で、様々な形状や組成物からなるものが発明され、開示されている（例えば特許文献１参照）。
【０００４】
また、液体燃料において、特に植物油を利用することは、環境社会を考える上でも重要視されつつあり、ほとんどの一般家庭にあるサラダオイル等の植物油を燃料材料として利用することは、その普及のし易さの観点からしても、社会的貢献の大きさを期待させるものとされている。
【０００５】
【特許文献１】登録実用新案第３０９３４６３号公報
【発明の開示】
【発明が解決しようとする課題】
【０００６】
しかしながら、前記のろうそくや固形燃料、液体燃料等には、以下のような問題があった。すなわち、ろうそくや固形燃料については、固形であるために、収容容器の形状によっては、使用できないことがあった。そのため、求められる機能やデザインを実現するためには、専用のろうそくや固形燃料が必要となり、費用が高額になってしまうという問題があった。
【０００７】
また、液体燃料については、主に引火点の低いアルコールや灯油が用いられるため、収容容器の形状に制限があった。特に、揮発性の高いメチルアルコールやエチルアルコールを利用するアルコールランプ等は、気化した燃料への引火を防ぐため、密閉性のある容器に保管しなければならないなど、収容容器の形状や液体燃料の取り扱いに注意を要するという問題があった。
【０００８】
さらに、固形燃料や液体燃料において、芯の形状や燃料の組成、酸素濃度、温度など、燃焼のための条件が整えられていない環境下にあっては、煤や一酸化炭素等が発生し、安定した燃焼を継続することは困難であった。
【０００９】
本発明は、このような問題を解決するためになされたものであり、取り扱いが簡易であって、安全性、経済性に優れ、安定した燃焼を得ることができるプレート、ベースフロート、及び、オイル収容容器を提供することを目的とする。
【課題を解決するための手段】
【００１０】
以上のような課題を解決するために、本発明は以下のものを提供する。
【００１１】
（１）  平板中央部に中空の凹条が形成され、前記凹条部分に燃焼芯が挿着されることを特徴とするプレート。
【００１２】
本発明に係るプレートは、オイルフロートにおいて、液体燃料に浮揚するベースフロート上に設置され、燃焼芯に液体燃料を供給するものである。本発明によれば、平板中央部に中空の凹条が形成され、前記凹条部分に燃焼芯が挿着されることとしたから、燃焼芯がプレートにしっかりと保持され、安定した燃焼を得ることができる。
【００１３】
なお、平板の形状は、円板や、三角板、四角板等、ベースフロートの形状に合わせて、様々な形状とすることができる。
【００１４】
（２）  前記凹条部分に燃焼芯が挿着された燃焼芯付プレート。
【００１５】
本発明によれば、（１）記載のプレートの凹条部分に燃焼芯が挿着された燃焼芯付プレートによって、簡易に、燃焼芯が正確に取り付けられた状態で燃焼を行うことができ、常に安定した燃焼を得ることができる。
【００１６】
すなわち、フロート体によっては後述するベースフロートとプレートとが一体形成されているものがあり、使用のたびに使用者が燃焼芯を取り付けるものであった。燃焼芯の取り付けにあたり、使用者はしっかりと取り付けようと、燃焼芯を挿入しすぎたりして、燃焼芯が曲がったり、折れたり、傾いたりして、燃焼芯の取り付けに失敗することも多かった。このような状態で使用すると、例えば、燃焼芯が傾いた状態になれば、炎から受ける輻射熱によって樹脂製のフロートが変形したり、燃えて煤が生じたり、炎が消えたりと、不安定な燃焼を起こすことがあった。そこで、本発明の燃焼芯付プレートによれば、予め燃焼芯が挿着されているので、使用者に燃焼芯取り付けさせる作業を要しない。また、従来のベースフロートとプレートとが一体形成されたフロートよりも、燃焼芯付プレートを別体とすることで、使用者は燃焼芯付プレートを後述のベースフロートに置くだけで、簡単に燃焼芯のセッティングをすることができる。
【００１７】
また、燃焼芯付プレートだけを取り替えれば、後述するベースフロートは何度でも使用することが可能である。
【００１８】
（３）  前記燃焼芯は、金属体、ガラス繊維体、焼結体であることを特徴とする燃焼芯付プレート。
【００１９】
本発明によれば、燃焼芯は、金属体、ガラス繊維体、焼結体であることとしたから、燃焼芯の変形がないため何度でも使用することができ、また、液体燃料の消費量が抑えられるため、長時間の使用が可能となる。
【００２０】
一般に、燃焼芯としては、ろうそく等の芯として用いられる綿芯が使用される。綿芯は、数束の綿糸をより合わせて作られているため、液体燃料が供給され続けるとふやけてほぐれてしまう場合がある。燃焼芯の形状が変化すると、炎が膨らんだり、炎が高く上がらず横に広がったりして燃焼のバランスが悪くなり、フロートを焼いてしまうおそれがあるため、一度きりの使用となってしまう。金属体、ガラス繊維体、焼結体等の、変形が起こらない材質の燃焼芯を用いることにより、複数回繰り返して使用することが可能となる。
【００２１】
金属体、ガラス繊維体、焼結体等は、燃焼芯自体は液体燃料を含まずに毛細管現象で液体燃料を吸い上げるものであり、毛細管現象で吸い上げる液体燃料の量は制限されるため炎が大きくなることもない。そのため、液体燃料の消費量が抑えられ、長時間の使用に好適である。
【００２２】
少量の液体燃料で長時間安定した炎が得られることは、例えば、非常災害時に電気やガスが不通になり、照明や食料の加熱調理のための熱源等に利用する場合等に、非常に有用である。加熱量が不足している場合には、複数並べて使用することにより、容易に加熱量を増大させることができる。
【００２３】
なお、毛細管現象を用いてオイルを吸い上げるためには、粘性の低い液体燃料を用いると効果的である。
【００２４】
（４）  周面部と、第１の凹条と、前記第１の凹条よりも小径の第２の凹条が形成され、前記第２の凹条底面に孔が設けられていることを特徴とするベースフロート。
【００２５】
本発明によれば、周面部と、第１の凹条と、第１の凹条よりも小径の第２の凹条が形成され、第２の凹条底面に孔が設けられていることとしたから、上述のプレートを安定して保持し、液体燃料を燃焼芯に継続的に供給することができる。
【００２６】
すなわち、ベースフロートの第１の凹条にはプレートの平板部分が載置され、第２の凹条によって燃焼芯が挿着される凹条部分による傾きを防ぎ、プレートを安定して保持することができる。また、第２の凹条底面に孔が設けられていることにより、ベースフロートの浮力が弱まり、ベースフロートが液体燃料中に適度に沈んだ状態で浮揚するため、ベースフロートの周面部から液体燃料が流れ込み易くなる。さらに、第２の凹条底面に設けられた孔からも液体燃料が流入するため、プレート上の燃焼芯に確実に液体燃料を供給することができる。
【００２７】
（５）  前記周面部は、凹凸に形成されていることを特徴とするベースフロート。
【００２８】
本発明によれば、ベースフロートの周面部は凹凸に形成されていることとしたから、ベースフロートを安定して浮揚させるとともに、液体燃料を燃焼芯に継続的に供給することができる。
【００２９】
（６）  水と、液体燃料と、（４）又は（５）記載のベースフロートと、が収容され、上部が密封されていることを特徴とするオイル収容容器。
【００３０】
本発明によれば、水と、液体燃料と、（４）又は（５）記載のベースフロートと、が収容され、上部が密封されていることとしたから、使用者が水及び液体燃料の計量・注入を行う手間を省くことができ、簡易に、安定した燃焼を得ることができる。
【００３１】
本発明に係るベースフロートを用いて最後まで安定した燃焼を行うためには、液体燃料の下に適量の水を収容しておく必要がある。ベースフロートの裏面には、上述の第２の凹条による突起があるため、燃焼により液体燃料が消費されて液面が低下すると、その突起によってフロート体（ベースフロートと燃焼芯付プレート）が傾いてしまう。フロート体が傾いたまま燃焼が続くと、炎の位置が不安定となり、その熱でフロート体やオイル収容容器を変形させてしまう場合があり、危険である。液体燃料の下にフロート体が傾かない程度の深さに水が収容されていれば、液体燃料が消費されてもフロート体を安定して浮揚させておくことができ、液体燃料を安全に燃やし切ることができる。
【００３２】
ここで、液体燃料の下に収容される水の量は、液体燃料を完全に消費した状態でもフロート体を安定して浮揚させておくことができるように、水だけの状態になっても燃焼芯を装着したプレートの燃焼芯の根元に最小限の水が届くくらいの高さに、そして水の液面の直径がベースフロートの直径よりも大きくなるように調整する。
【００３３】
使用者が、水と液体燃料の注入量を誤って、水の量が少ない状態で燃焼を始めてしまうと、液体燃料が減ってきた段階でフロート体が傾くことがある。オイル収容容器に予め水と液体燃料とを収容しておくことにより、使用者が注入量を誤ることがなく、簡易に、安定した燃焼を得ることができる。
【００３４】
オイル収容容器の上部は、イージーピールシール方式や、缶詰方式等、水と液体燃料とが外に漏れることなく、確実に密封することができ、容易に開封することができる方法で密封する。
【発明の効果】
【００３５】
以上説明したように、本発明によれば、燃焼芯を安定して保持することができ、簡易な作業で燃焼を得ることができ、長時間安定した燃焼を維持することができるオイルフロート用プレート、ベースフロート、及び、オイル収容容器を提供することができる。
【発明を実施するための最良の形態】
【００３６】
以下、本発明の実施の形態を、図面を参照しながら説明する。
【００３７】
図１は、本発明の実施の形態に係るオイルフロートセットを示す斜視図であり、図２はその構成を示す断面図である。
【００３８】
図１及び図２において、オイル収容容器７内には水６と、液体燃料３と、が収容されており、その液面上にはフロート体１０が浮揚状態に支持されている。フロート体１０は、プレート８と、ベースフロート９と、燃焼芯１１と、から構成されており、ベースフロート９に、燃焼芯１１が挿着されたプレート８が設置されている。なお、図１及び図２においては、参考のため燃焼芯１１に引火した状態を示している。
【００３９】
［フロート体］
本発明の実施の形態に係るフロート体について、図３から図６を参照しながら説明する。
【００４０】
図３（ａ）は、本発明の実施の形態に係るベースフロート９の例を示す平面図、図３（ｃ）は、プレート８の例を示す平面図である。図３（ｂ）は、図３（ａ）の、図３（ｄ）は図３（ｃ）の、断面図である。図３（ｅ）は、燃焼芯１１の例を示す断面図である。図３（ｆ）は、ベースフロート９に、燃焼芯１１を挿着したプレート８を設置した、フロート体１０の斜視図である。
【００４１】
図３において、フロート体１０は、プレート８と、ベースフロート９と、燃焼芯１１と、から構成されている。
【００４２】
プレート８の中央部分には燃焼芯１１を挿着するための中空の凹条部１２が形成され、燃焼芯１１が挿着されている。凹条部１２の周辺には、孔１５が設けられている。
【００４３】
凹条部１２は、その内径が燃焼芯１１の径よりもわずかに大きく、燃焼芯１１が傾いたりぐらついたりせず、しっかりと挿着されるように形成される。この凹条部１２によって、燃焼芯１１は安定して保持される。
【００４４】
プレート８の素材には、使用される液体燃料よりも比重が大きいものが用いられる。一般に家庭で使用されるサラダ油の比重は、食用植物油脂の日本農林規格によると約０．９０７〜０．９２４程度であるため、プレート８にはそれよりも大きい比重の素材を用いる。プレート８の比重を液体燃料より大きくすることにより、プレート８は、液体燃料３に浮揚するベースフロート９の第１の凹条部１８内に沈み、その全体が液体燃料３の液面下に浸漬した状態となる（図２参照）。
【００４５】
このとき、液体燃料３の液面には表面張力が働くため、プレート８が沈みにくい場合がある。そこで、プレート８の凹条部１２の周辺に複数の孔１５を設けることにより、表面張力を分散させたり、表面張力が働かないようにすることができ、プレート８が沈み易くすることができる。液体燃料３の粘性が高かったり、プレート８の比重が十分な大きさでなかったりした場合には更に沈みにくくなる場合があるが、そのような場合であっても、孔１５が設けてあれば、プレート８を容易に沈ませることができる。
【００４６】
ベースフロート９の中央部分にはプレート８を設置するための第１の凹条部１８が形成されている。第１の凹条部１８の中央部分には、第１の凹条部１８よりも小径の第２の凹条部１９が形成され、第２の凹条部１９の底面には、孔１４が設けられている。ここで、孔１４の数及び形状は、図３（ａ）に示すものに限られるものではなく、１つであっても良いし、複数であってもかまわない。
【００４７】
第１の凹条部１８を、プレート８の径よりも大きく形成することによって、プレート８を安定して保持し、第２の凹条部１９の深さを、プレート８の凹条部１２による突起の高さよりも大きく形成することによって、凹条部１２によるプレート８の傾きを防ぐことができる。
【００４８】
ベースフロート９の素材には、プレート８を保持し、液体燃料３に安定して浮揚するものが用いられる。ここで、燃焼芯１１に安定して液体燃料３を供給するためには、プレート８の全体が液面下に浸漬した状態であることが望ましく、プレート８の重さと、ベースフロート９の浮力とのバランスをとる必要がある。すなわち、フロート体１０を液体燃料３に浮揚させた時に、ベースフロート９は自身にかかる浮力によって浮揚し、燃焼芯１１が挿着されたプレート８は、自身ににかかる重力によって、ベースフロート９を液体燃料３中に押し戻すようにして沈む。このとき、燃焼芯１１が挿着されたプレート８にかかる重力と、ベースフロート９にかかる浮力とのバランスがとれており、フロート体１０の大部分が液体燃料３中に沈んだ状態であることが望ましく、プレート８が、液面下に十分な深さで浸漬している状態を維持することによって、安定した燃焼を継続することができる。第２の凹条部１９の底面に１つ又は複数の孔１４を設けることによって、ベースフロート９の浮力が弱まり、ベースフロート９の大部分が液体燃料３中に沈んだ状態で浮揚する。したがって、プレート８は、その全体が液面下に浸漬した状態となり、液体燃料３は、ベースフロート９の周面部から第１の凹条部１８に流れ込み易くなる。さらに、ベースフロート９に、燃焼芯１１に向かう傾斜を設けることによって、より安定して液体燃料３が供給される。このとき、プレート８は液面下にあるため、燃焼する炎とプレート８との距離が一定に保たれ、プレート８の熱による変形を防ぐことができ、安定した燃焼が維持される。
【００４９】
図４は他の形態に係るベースフロート９の例を示す図である。図４（ａ）はベースフロート９の平面図、図４（ｂ）は底面図、図４（ｃ）は断面図である。
【００５０】
図４において、ベースフロート９の周面部裏面には、発泡素材２４が設けられており、この発泡素材２４の浮力によって、フロート体１０は安定的に浮揚する。発泡素材２４を設けることにより、ベースフロート９の素材による浮力が不足している場合であっても、その浮力を補うことが可能となる。発泡素材２４による浮力を加味して、プレート８にかかる重力と、ベースフロート９にかかる浮力とのバランスをとることによって、フロート体１０を安定的に浮揚させることができる。
【００５１】
図５は、他の形態に係るフロート体１０の例を示す図である。図５（ａ）はベースフロート９の平面図、図５（ｂ）はベースフロート９に、燃焼芯１１を挿着したプレート８を設置した、フロート体１０の斜視図である。
【００５２】
図５において、第１の凹条部１８の周囲には、複数の突起部１３を有し、その裏面には凹みを有している。この凹み内の空気の浮力によってフロート体１０は安定的に浮揚する。液体燃料３は、ベースフロート９の突起部１３の間を通って、第１の凹条部１８に流入し、プレート８の凹条部１２に挿着された燃焼芯１１に継続的に供給される。複数の突起部１３の間を通ることによって、液体燃料３は、燃焼芯１１に流れ込み易くなる。
【００５３】
なお、ベースフロート９の突起部１３を設けて空気を抱き込むようにしなくても、上述したベースフロートの浮力と燃焼芯付きプレートの重力の関係を適切に保つことができれば、ベースフロートは十分な浮力を保持することができる。
【００５４】
さらに、第２の凹条部１９の底面に設けられた孔１４は、液体燃料３の流入孔としての機能も有する。ベースフロート９の周面部からだけでなく、孔１４からも液体燃料３が流入することにより、プレート８上の燃焼芯１１に確実に液体燃料３を供給することができる。
【００５５】
図６は、プレート８及びベースフロート９の形状を説明するための説明図である。
【００５６】
図６に示すように、ベースフロート９の第１の凹条部１８の直径をａ、第２の凹条部１９の高さをｂとすると、プレート８の直径は、ベースフロート９の第１の凹条部１８の直径ａよりも１ｍｍ小さい（ａ−１）ｍｍに、プレート８の凹条部１２の高さは、ベースフロート９の第２の凹条部１９の高さｂよりも１ｍｍ小さい（ｂ−１）ｍｍに、設定することが望ましい。このように、プレート８と、ベースフロート９との間の遊びを最小限に設定することにより、ベースフロート９上でのプレート８の位置変動を規制することができ、安定した燃焼を維持することができる。
【００５７】
また、プレート８の直径はある一定以上の大きさに設定することが望ましく、このことにより、燃焼する炎と、ベースフロート９との距離を十分にとることができ、熱によるベースフロート９の変形を防ぐことができる。
【００５８】
なお、プレート８及びベースフロート９の形状は、上述した形態に限られるものではない。プレート８については、液体燃料に沈み、ベースフロート９上で燃焼芯を安定して保持し、燃焼を維持することができるものであれば、素材や形状は問わない。また、ベースフロート９については、プレート８を保持し、液体燃料に安定して浮揚することができるものであれば、素材や形状は問わない。安定した燃焼を得るには、シンプルな形状で、液体燃料が燃焼芯へスムーズに流れ込む構造である方がよい。
【００５９】
燃焼芯１１は、直径３ｍｍ以下のものを用い、液体燃料液面から露出する部分の長さが３０ｍｍ以下になるように調整する。芯の太さと長さのバランスを調整することにより、不完全燃焼による煤や一酸化炭素の発生を防ぐことができる。
【００６０】
燃焼芯１１の材質としては、綿糸でも良いが、金属体、ガラス繊維体、焼結体等を用いると、より効果的である。金属体、ガラス繊維体、焼結体等からなる燃焼芯１１は、燃焼芯１１自体は液体燃料３を含まずに毛細管現象で液体燃料３を吸い上げるものである。これらの燃焼芯１１は、図３（ｅ）に示すように、金属体等からなる繊維状体１６が束状により合わされて形成されており、液体燃料３は、その繊維状体１６のわずかな空間１７を、繊維状体１６に沿って上昇し、燃焼芯１１の先端から蒸発して燃焼する。
【００６１】
このような燃焼芯１１は、液体燃料３を含まないために、燃焼芯１１の変形が起こらず、複数回繰り返して使用することが可能となる。また、毛細管現象で吸い上げる液体燃料３の量は制限されるため、液体燃料３の消費量が抑えられる。
【００６２】
なお、毛細管現象を用いて液体燃料３を吸い上げるためには、粘性の低い液体燃料３を用いると効果的である。
【００６３】
［燃焼芯付プレート］
図７は、本発明の実施の形態に係る燃焼芯付プレート２２を示す図であり、図７（ａ）は斜視図、図７（ｂ）は断面図を示す。
【００６４】
図７において、燃焼芯付プレート２２は、プレート８の中央部分の凹条部１２に燃焼芯１１が挿着された構成となっている。
【００６５】
燃焼芯付プレート２２によれば、使用のたびに使用者が燃焼芯１１を取り付ける作業が不要となり、使用者が燃焼芯１１の取り付けを誤って、燃焼芯１１が傾いたり、変形したりすることがないため、安全に使用することができる。また、使用の際には、燃焼芯付プレート２２を、ベースフロート９の上に置くだけで燃焼芯１１のセッティングをすることができるため、取り扱いが簡易である。
【００６６】
また、燃焼芯付プレート２２だけを取り替えて、ベースフロート９を何度も使用することが可能である。
【００６７】
[オイル収容容器]
図８は、本発明の実施の形態に係るオイル収容容器セット２１を示す図である。
【００６８】
図８において、オイル収容容器セット２１は、オイル収容容器７に水６と液体燃料３とベースフロート９とが収容され、オイル収容容器７の上部がイージーピールシール２３で密封されている。
【００６９】
液体燃料３としては、揮発性の低く、引火点の高いものを使用することができる。例えば、一般家庭に常備されるサラダオイル等の植物油を利用することもできる。また、エッセンシャルオイルも使用できる。
【００７０】
アルコールランプに用いられるメチルアルコールやエチルアルコールの引火点は３２℃以下であるのに対し、サラダオイルをはじめとする植物油の引火点は２４０℃以上の高温である。そのため、誤って引火させてしまう危険性が極めて低く、安全に取り扱うことができる。
【００７１】
その他、安全に取り扱うことができる液体燃料としては、引火点が７０℃以上、望ましくは１００℃以上の植物性燃料油、廃植物油、回収再生植物油等があげられる。また、重油、クレオソート油等の、引火点が７０℃以上の第３石油類や、ギヤー油、シリンダー油等の、引火点が２００℃以上の第４石油類を用いることも可能である。
【００７２】
例えば、非常災害時に電気やガスが不通になった場合であっても、一般の家庭にあるサラダオイル等の植物油を用いて安全に燃焼を得ることができるため、照明や食料の加熱調理のための熱源等に利用することが可能となり、非常に有用である。また、燃焼の途中で燃料を継ぎ足すこともできるため、長時間続けて使用することができる。さらに、使用済みの植物油を再生利用することも可能であり、環境に優しく、経済的である。
【００７３】
引火点の高い植物油等を燃料として利用するには、燃料をその引火点温度まで熱して引火・燃焼させる必要があるが、本発明の実施の形態に係るフロート体１０によれば、液体燃料３を燃焼芯１１によって吸い上げることにより、燃料と酸素とがバランスよく供給され、引火・燃焼させることができる。
【００７４】
したがって、揮発性が低く、引火性の低いサラダオイル等の植物油を用いて、安全に、安定した燃焼を得ることができる。また、どの家庭にもある、サラダオイル等の植物油を用いるため、安価で、扱いやすく、安全である。さらに、液体状で安全性の高い植物油を用いることで、オイル収容容器７の形状を自由に設計することができる。
【００７５】
液体燃料３の下には適量の水６が収容される。図９は、オイル収容容器７内に、水６と、フロート体１０とが収容されている様子を示す図である。
【００７６】
ベースフロート９の裏面には、第２の凹条部１９による突起があるため、燃焼により液体燃料３が消費されて液面が低下すると、その突起によってフロート体１０が傾いてしまう。液体燃料３の下にフロート体１０が傾かない程度の深さに水6が収容されていれば、液体燃料３が消費されてもフロート体１０を安定して浮揚させておくことができ、液体燃料３を安全に燃やし切ることができる。
【００７７】
ここで、液体燃料３の下に収容される水６の量は、液体燃料３を完全に消費した状態でもフロート体１０を安定して浮揚させておくことができるように、水６の深さＨｗがベースフロート９に設置されたプレート８の高さＨｆよりも大きく、水６の水面の直径Ｄｗがベースフロート９の直径Ｄｆよりも大きくなるように調整する（図９参照）。
【００７８】
なお、液体燃料３の下に収容する液体は、水６に限定するものではなく、液体燃料３と混じり合わず、液体燃料３よりも比重が重く、燃焼しない液体であれば用いることができる。
【００７９】
オイル収容容器７は、燃焼によってオイル収容容器７内の液体燃料３が全て消費され、水６のみが残ったときに、フロート体１０を浮揚させることができる最小限の大きさに形成される。このことにより、オイル収容容器７内の液体燃料３が少量であっても安定した燃焼を得ることができる。
【００８０】
また、図９に示すようにフロート体１０とオイル収容容器７の内壁との間にはわずかに隙間が残る状態となるため、フロート体１０の浮遊する範囲は狭くなり、フロート体１０の位置変動が少なくなる。したがって、炎の位置変動が少なくなり、安定した燃焼を維持することができる。
【００８１】
オイル収容容器７の素材としては、金属や陶器の他、ポリプロピレン製容器や耐熱ＰＥＴ製容器などの樹脂製容器とすることも可能である。すなわち、容器の壁から十分に離れた位置に炎を安定させることができれば、容器が受ける熱の影響を最小限にすることができるため、耐熱性の低い樹脂製の容器を用いることができる。また、液体燃料としてアルコールや灯油などを用いる場合には、樹脂が溶けたり膨潤したりする場合があるため、樹脂製容器を用いることはできないが、本発明の実施の形態によれば、液体燃料として植物油を用いることができ、樹脂を損傷することがないため、樹脂製容器とすることが可能となる。
【００８２】
なお、オイル収容容器７の形状は、フロート体１０の位置変動が少なく、安定した燃焼を維持することができるものであれば、どのような形状であってもかまわない。
【００８３】
オイル収容容器７の上部は、イージーピールシール２３によってシーリングされている。オイル収容容器７の上部を密封することにより、オイル収容容器７を持ち運ぶ際には、オイル収容容器７内に収容された水６と液体燃料３が外に漏れることなく安全に持ち運ぶことができ、使用時には、イージービールシール２３を剥がすことによってすぐに使用することができる。
【００８４】
オイル収容容器７の上部密封方法は、イージーピールシール２３に限るものではなく、缶詰方式等、水６と液体燃料３とが外に漏れることなく、確実に密封することができ、容易に開封することができるものであればどのような方法を用いてもかまわない。
【００８５】
［使用方法］
本発明の実施の形態に係るオイルフロートセットを使用するには、まず、オイル収容容器７をシーリングしているイージーピールシール２３を剥がし、オイル収容容器７内に浮遊しているベースフロート９に、燃焼芯１１が挿着されたプレート８をセットする（図２参照）。災害時やキャンプなどのアウトドアにおいて、このまま照明や加熱源として使用しても良いし、別途適切なものを用いてインテリア照明として、あるいはその他種々の熱源として利用しても良い。
【００８６】
次に、燃焼芯１１に着火し、燃焼を開始する。燃焼が進むと、液体燃料３が消費されて液面が低下する。ここで、燃焼を継続させたいときには、液体燃料３を追加注入することができる。
【００８７】
本発明の実施の形態に係るオイルフロートセットによれば、長時間燃焼を行っても、プレート８、ベースフロート９、燃焼芯１１、のいずれも変形することがないため、燃焼の途中で液体燃料３を追加注入することにより、燃焼を継続させることができる。また、オイルフロートセットの再利用が可能であるため、１度燃焼が終了した後であっても、再び液体燃料３を注入し、燃焼芯１１に着火することにより、再度燃焼を行うことができる。
【００８８】
したがって、予め適量の水６及び液体燃料３が収容され、ベースフロート９が浮遊したオイル収容容器７を用いることにより、使用毎に水６及び液体燃料３の計量・注入を行う手間が省けるばかりでなく、使用者が水６及び液体燃料３の注入量を誤ることがないため、常に一定の条件で、安定した燃焼を得ることができる。
【００８９】
また、燃焼芯付プレートを用いることにより、使用のたびにプレート８に燃焼芯１１を挿着する手間が省けるばかりでなく、燃焼芯１１の挿着を失敗することがないため、燃焼芯が傾くことがなく、常に安定した燃焼を維持することができる。
【００９０】
以上述べたように、本発明に係るオイルフロート用プレート、ベースフロート、及び、オイル収容容器は、使用者が燃焼芯の取り付けや、水及び液体燃料の計量・注入を行う手間を省くことができ、簡易に、安定した燃焼を得ることができるものである。また、植物油を用いるため、安全である。さらに、長時間の使用に耐え、再利用も可能であるため、経済的である。
【産業上の利用可能性】
【００９１】
本発明に係るオイルフロート用プレート、ベースフロート、及び、オイル収容容器は、取り扱いが簡易であって、安全性、経済性に優れ、安定した燃焼を得ることができるオイルフロート用プレート、ベースフロート、及び、オイル収容容器を提供し得るものとして有用である。
【図面の簡単な説明】
【００９２】
【図１】本発明の実施の形態に係るオイルフロートセットを示す斜視図である。
【図２】本発明の実施の形態に係るオイルフロートセットの構成を示す断面図である。
【図３】本発明の実施の形態に係るフロート体の例を示す説明図である。
【図４】他の形態に係るベースフロートの例を示す図である。
【図５】他の形態に係るフロート体の例を示す図である。
【図６】プレート及びベースフロートの形状を説明するための説明図である。
【図７】本発明の実施の形態に係る燃焼芯付プレートを示す図である。
【図８】本発明の実施の形態に係るオイル収容容器セットを示す図である。
【図９】オイル収容容器内に、水と、フロート体とが収容されている様子を示す図である。
【符号の説明】
【００９３】
３  液体燃料
６  水
７  オイル収容容器
８  プレート
９  ベースフロート
１０  フロート体
１１  燃焼芯
１２  凹条部
１３  突起部
１４  孔
１５  孔
１６  繊維状体
１７  空間
１８  第１の凹条部
１９  第２の凹条部
２１  オイル収容容器セット
２２  燃焼芯付プレート
２３  イージーピールシール
２４  発泡素材
【図３】
2008025974.tif 000003
【図５】
2008025974.tif 000004
【図１】
2008025974.tif 000005
【図２】
2008025974.tif 000006
【図４】
2008025974.tif 000007
【図６】
2008025974.tif 000008
【図７】
2008025974.tif 000009
【図８】
2008025974.tif 000010
【図９】
2008025974.tif 000011